(57)【要約】【課題】保護ケースの表面に非熟練者でも装飾体を整然と接着できるようにする。【解決手段】ケース基材１の表面には、厚盛層３が樹脂インクにより例えば膜厚５０〜２００μｍに厚盛印刷されている。また、この厚盛層３には、インクを塗布しないことにより成形する多数の凹部４が縦横に整然と規則正しく配列されている。凹部４を形成したことにより、この凹部４が装飾体５の貼付位置のガイドとなり、凹部４に宝石をかたどった例えばラインストーンから成る装飾体５を位置ずれすることなく整然と美麗に配置することがきる。非熟練者でも凹部４に接着剤を塗布し装飾体５を押し込むだけで、装飾体５を容易に整然と貼り付けできる。【選択図】図４
2014171509.tif 000002
【特許請求の範囲】
【請求項１】
表面にインクから成る厚盛層と、該厚盛層に装飾体を接着するための多数の凹部を設けたことを特徴とする携帯型情報機器用保護ケース。
【請求項２】
前記凹部の深さは前記厚盛層の膜厚と同等としたとしたことを特徴とする請求項１に記載の携帯型情報機器用保護ケース。
【請求項３】
前記厚盛層の膜厚は５０〜２００μｍとしたことを特徴とする請求項１又は２に記載の携帯型情報機器用保護ケース。
【請求項４】
前記多数の凹部は互いに縦横又は斜め方向に等間隔に配列したことを特徴とする請求項１〜３の何れか１つの請求項に記載の携帯型情報機器用保護ケース。
【請求項５】
前記凹部は円形とし、前記凹部に底部を同形とする装飾体を接着したことを特徴とする請求項１〜４の何れか１つの請求項に記載の携帯型情報機器用保護ケース。
【請求項６】
前記厚盛層は前記凹部以外に図柄を印刷したことを特徴とする請求項１〜５の何れか１つの請求項に記載の携帯型情報機器用保護ケース。
【発明の詳細な説明】
【技術分野】
【０００１】
本発明は、携帯電話、スマートフォン、携帯型音楽プレイヤ等の携帯型情報機器端末を保護すると共に、表面に装飾を施すことが可能な携帯型情報機器用保護ケースに関するものである。
【背景技術】
【０００２】
従来、この種の携帯型情報機器端末を保護するために、合成樹脂、シリコンゴム、皮革等の様々な素材から成る携帯型情報機器用保護ケースが市販されている。
【０００３】
しかし、この種の保護ケースは工業製品であり、印刷等による画一的なデザイン・色彩・模様であることから、他人と同じデザインのものを使用しがちであり、同じものを使用した場合には外観上、自他の保護ケースの区別が難しくなる。特に、大ヒット機種の保護ケースとなると、同じデザインのものが大量に出回ることになる。
【０００４】
そのため、他人と同じものを使用せずに、他人のものと区別したい等の心理から、若者を中心に保護ケースの表面に独自の装飾をすることが流行している。
【０００５】
保護ケースに独自の装飾を施すことにより、自分だけのオリジナルデザインのものとなり、たとえ他人が同じ携帯型情報機器を使用していたとしても、容易に識別が可能となる。
【０００６】
また、そのデザインに飽きてしまったり、携帯型情報機器端末そのものを他人に譲渡する場合には、保護ケースのみを交換すればよい。
【０００７】
近年、オリジナルデザインの保護ケースを製作するために、接着剤を用いて直接、表面に装飾体を接着したり、塗料を用いて絵や文字を描くことが行われている。
【０００８】
しかし、保護ケースの表面に接着剤を用いて直接、装飾体を接着したり、塗料を用いて絵や文字を描くには、手先の器用さや、相当の熟練技術がないと、見栄えが良く美麗に仕上げることはなかなか難しい。
【０００９】
特許文献１、２には、携帯型情報機器用保護ケースを装飾するための考案が開示されている。
【００１０】
【特許文献１】実用新案登録第３１２５７５３号公報
【特許文献２】実用新案登録第３１８０７５０号公報
【発明の概要】
【発明が解決しようとする課題】
【００１１】
特許文献１においては、保護ケースの表面に接着剤を用いて多数のラインストーンのような装飾体が密に貼り付けられている。この貼り付けは自由なデザインとすることは可能であるが、熟練者でないと多数の装飾体を表面に整然と貼り付けて配置することができず、使用者が自分で装飾体を並べて貼り付ける場合には、見栄えが良くないという問題点がある。
【００１２】
また、特許文献２に示す保護ケースは、その表面に複数の小さな背板小孔を形成し、この背板小孔に装飾体の底部に設けた挿込棒体を挿し込んでいる。
【００１３】
この保護ケースは複数の背板小孔を穿孔するために保護ケースが弱体化し、また装飾体を取り付けない背板小孔があると、防塵性、防滴性に劣ることになる。
【００１４】
また、保護ケースを成形した後に、複数の背板小孔を形成する作業は極めて面倒な作業であり、射出成形等により保護ケースの成形と同時に背板小孔を設ける場合には、背板小孔の大きさ、位置を変更するには金型を作り直す経済的負担が生ずる。
【００１５】
本発明の目的は、上述の課題を解消し、厚盛層を利用して表面に形成した凹部に、装飾体を簡便にかつ正確に取り付けることができる携帯型情報機器用保護ケースを提供することにある。
【課題を解決するための手段】
【００１６】
上記目的を達成するための本発明に係る携帯型情報機器用保護ケースは、表面にインクから成る厚盛層と、該厚盛層に装飾体を接着するための多数の凹部を設けたことを特徴とする。
【発明の効果】
【００１７】
本発明に係る携帯型情報機器用保護ケースによれば、その表面に肉厚の厚盛層を設け、この厚盛層に装飾体固定用の多数の凹部を設け、この凹部に対し装飾品を簡便に位置付けて接着することができる。
【図面の簡単な説明】
【００１８】
【図１】携帯型情報機器用保護ケース用とするためのケース基材の斜視図である。
【図２】ケース基材の表面に厚盛層を設けると共に凹部を形成した状態の斜視図である。
【図３】凹部に装飾体を貼り付けた状態の断面図である。
【図４】ケース基材上に装飾体を貼り付けた状態の斜視図である。
【発明を実施するための形態】
【００１９】
本発明を図示の実施例に基づいて詳細に説明する。
図１は本実施例における携帯型情報機器用保護ケースのケース基材１の斜視図を示している。このケース基材１は例えば合成樹脂材を射出成形することにより成型されているが、金属製であってもよい。そして、ケース基材１には適合する機種のカメラレンズ、コネクタ、ボタン等のための複数の孔部２が必要に応じて形成されている。
【００２０】
ケース基材１の表面には、図２に示すようにインクジェットプリンタにより、厚盛層３が樹脂インク等により例えば膜厚５０〜２００μｍに厚盛印刷されている。また厚盛層３には、インクを塗布しないことにより成形する多数の凹部４が、千鳥格子状とか縦横方向に等間隔に整然と規則正しく配列して設けている。なお、これらの凹部４は特定の図柄となるように配列することもできる。また、凹部４の大きさは全く一定ではなく変化させることもできる。
【００２１】
図３の断面図に示すように、厚盛印刷による厚盛層３に対して凹部４を形成したことによって、この凹部４が装飾体５の貼付位置のガイドとなり、位置ずれすることなく凹部４に装飾体５を配置することがきる。また、凹部４に接着剤を塗布し装飾体５を押し込むだけで、簡単に装飾体５を位置付けして貼り付けることができ、非熟練者でも容易に所定位置への接着が可能となる。
【００２２】
凹部４に接着剤を塗布する際にも、注射針のような器具で凹部４内に垂れ落とせば、凹部４の底面は平面となっているため、接着剤は表面張力により凹部４内で均等に分布する。なお、表面張力が作用しない場合でも、接着剤は凹部４からはみ出すことはない。
【００２３】
図４に示すように、凹部４内に凹部４と同じ形状の底部を有し、宝石をかたどった例えばラインストーンから成る多数の装飾体５を、例えば花型、文字型、動物型等の種々の任意の図柄を作成しながら貼り付けることにより、独自のデザインを有する保護ケースとすることができる。また、装飾体５の色を変えながら全ての又は多くの凹部４を埋め尽くして図柄を表示してもよい。
【００２４】
凹部４は規則正しく整然と配列されているので、非熟練者でも凹部４の位置に従って装飾体５を接着すれば、見栄えの良いデザインの保護ケースを製作することができる。
【００２５】
なお、デザイン上の観点から、凹部４を装飾体５で埋め尽くさずに、装飾体５を貼り付けない凹部４があっても支障はない。特に、成形した合成樹脂の色を有するケース基材１に対し、厚盛層３のインクの色を選択して塗布することにより、凹部４にはケース基材１の地色が露出され、装飾体５を取り付けない領域の円形の凹部４も、１つのデザインとして表現することができる。
【００２６】
本実施例では、厚盛層３のインクの色に対応して、装飾体５の色を適宜にまた部分的に選択して使用することにより、使用者がケース基材１上に独自のデザインの図柄を表現することができ、熟練者による製作品と同等の見栄えを備えることが可能となる。
【００２７】
厚盛層３はインクジェットプリンタ等により印刷して形成しているため、表面色を変えたり、厚盛層３自体で図柄を表現したり、或いは凹部４の大きさ及び位置の変更は容易である。なお、インクジェットプリンタ以外にもシルクスクリーン法により印刷したり、発泡インクを用いて印刷後にインクを発泡させて厚盛りとすることもできる。
【００２８】
また、装飾体５は必ずしも凹部４と同じ形状である必要はなく、凹部４よりも大きくしたり、種々の形状の装飾体５を用意し、装飾体５の底面に凹部４に適合する凸部を設け、この凸部を凹部４に接着するようにしてもよい。
【００２９】
更に、ケース基材１の表面の殆ど全ての領域に凹部４を形成するのではなく、例えば厚盛層３の一部に図柄を印刷し、残余の領域に凹部４を形成することもできる。
【符号の説明】
【００３０】
１  ケース基材
２  孔部
３  厚盛層
４  凹部
５  装飾体
【図１】
2014171509.tif 000003
【図２】
2014171509.tif 000004
【図３】
2014171509.tif 000005
【図４】
2014171509.tif 000006